(57)【特許請求の範囲】
【請求項１】
液晶パネルと、
液晶パネルの前面に配置された光透過部材と、
光透過部材の前面に配置された静電容量方式のタッチパネルと、
液晶パネルと光透過部材の間の空間に空気流を発生させる空気流発生部と、
所定の周期ごとに前記タッチパネルの初期化処理を実行する初期化実行部と、
前記周期より長い周期ごとの温度を検出する温度検出部と、
を備え、
前記空気流発生部は、
前記検出された温度に応じて、空気流の強さを段階的に変化させるように駆動することを特徴とするディスプレイ装置。
【請求項２】
前記空気流発生部は、
複数のファンを有し、
駆動させるファンの個数を段階的に変化させることにより、空気流の強さを変化させることを特徴とする請求項１に記載のディスプレイ装置。
【請求項３】
前記空気流発生部は、
ファンを有し、
ファンの回転速度を段階的に変化させることにより、空気流の強さを変化させることを特徴とする請求項１に記載のディスプレイ装置。
【請求項４】
前記空気流発生部は、
前記検出された温度が所定の第１閾値を超えたとき、空気流が段階的に強くなるようにファンを駆動することを特徴とする請求項２又は３に記載のディスプレイ装置。
【請求項５】
前記空気流発生部は、
前記検出された温度が所定の第２閾値を下回ったとき、空気流が段階的に弱くなるようにファンを駆動することを特徴とする請求項２ないし４のいずれかに記載のディスプレイ装置。
【請求項６】
請求項１から請求項５の何れかに記載のディスプレイ装置を表示部として備えたことを特徴とする、自動販売機。
【発明の詳細な説明】
【技術分野】
【０００１】
本発明は、ディスプレイ装置、特にタッチパネルを備えたディスプレイ装置に関する。また、かかるディスプレイ装置を備えた自動販売機に関する。
【背景技術】
【０００２】
従来、銀行のＡＴＭや駅の券売機などのインターフェースとして、タッチパネルが広く採用されている。タッチパネルのサイズとしては、一般的なものでも、数インチ程度のものから５０インチを超える大型のものまで、幅広く設定されている。
【０００３】
タッチパネルを備えたディスプレイは、以前は屋内に設置されることが多かったが、最近では、ガソリンスタンドでの処理装置や観光ガイド掲示板などにも利用されるようになり、屋外あるいは半屋外に設置される例も増えている。
【０００４】
タッチパネルはその動作原理によって、抵抗膜方式、静電容量方式、超音波方式、および赤外線方式などに分類され、それぞれに利点や欠点があるため、用途に応じて適切なものが採用される。屋外や半屋外に設置される２０インチ以上のタッチパネルとしては、例えば静電容量方式のものが採用されている。
【０００５】
静電容量方式のタッチパネルは、特許文献１などに開示されている通り、静電容量の変化（主に、静電容量が閾値を越えたかどうか）を検知するセンサが、パネルの各所に対応して設置されており、静電容量の変化を検知することによって、パネル上の指等が触れた位置を検出する。
【０００６】
静電容量は、誘電体を介して二つの導体が配置されている状態で発生する。静電容量の大きさは、次の（１）式によって表される。
Ｃ ＝ Ｅ０×ＥＳ×Ｓ／ｄ      ・・・・・（１）式
但し、Ｃ ：静電容量値（Ｆ）
Ｅ０：真空の誘電率＝８．８５４×１０−１２（Ｆ／ｍ）
ＥＳ：誘電体の比誘電率
Ｓ ：導体の面積（ｍ２）
ｄ ：導体間の距離（ｍ）とする。
【０００７】
ここで誘電率は、空気中の場合、圧力を一定とすると、温度に反比例する。また水の比誘電率（８１）は、空気の比誘電率（１．０００５８）とは大きく異なっている。これらのことから、静電容量は、温度、湿度、および圧力といった環境条件の変化によって変動する。その結果、このような環境条件の変化は、静電容量方式のタッチパネルの動作に影響を与えることになり、誤動作（例えば、実際には指等が触れていないのに、接触したと検出される）の原因ともなり得る。
【０００８】
このような誤動作の発生を低減させる手法としては、環境条件の一つである温度を調節する手法が挙げられる。特許文献２には、液晶パネルと前面ガラスの間を、ファンを用いて送風する構成を備えたディスプレイ装置が開示されている。このような構成を採用すれば、液晶パネルだけでなく、タッチパネルの温度の変化も抑えられるので、タッチパネルの誤動作の低減が期待できる。
【先行技術文献】
【特許文献】
【０００９】
【特許文献１】特開２００９−２５８９０３号公報
【特許文献２】特開２００９−２９６１０５号公報
【発明の概要】
【発明が解決しようとする課題】
【００１０】
しかしながら、特許文献２のごとき冷却用ファンを備えたディスプレイ装置において、冷却の強さが急激に変化すると、静電容量のオフセットの変動速度も急激に変化する。即ち、指等が触れていない状態におけるセンサの、静電容量の基準量からのズレ（＝静電容量のオフセット）が変動する。
【００１１】
その結果、タッチパネルの誤動作が発生し易くなるおそれがある。
【００１２】
本発明は上述した問題に鑑み、液晶パネルと静電容量方式のタッチパネルを備えたものであって、これらを効率良く冷却することが可能であるとともに、タッチパネルの誤動作を極力低減させることが可能となるディスプレイ装置の提供を目的とする。
【課題を解決するための手段】
【００１３】
本発明に係るディスプレイ装置は、液晶パネルと、液晶パネルの前面に配置された光透過部材と、光透過部材の前面に配置されたタッチパネルと、液晶パネルと光透過部材の間の空間に空気流を発生させる空気流発生部と、を備え、前記空気流発生部は、空気流の強さを段階的に変化させることを特徴とする。
【発明の効果】
【００１４】
上述した通り本発明に係るディスプレイ装置によれば、液晶パネルとタッチパネルの双方を冷却すると共に、タッチパネルの誤動作を低減させることが可能となる。
【図面の簡単な説明】
【００１５】
【図１】本発明の実施形態に係るＰＣシステムの外観図である。
【図２】本発明の実施形態に係るＰＣシステムの構成に係るブロック図である。
【図３】本発明の実施形態に係るディスプレイ装置の構成図である。
【図４】当該ディスプレイ装置の他の方向から見た構成図である。
【図５】当該ディスプレイ装置の更に他の方向から見た構成図である。
【図６】温度調節動作に関するフローチャートである。
【図７】温度調節動作に関する説明図である。
【図８】温度調節動作に関する別の説明図である。
【図９】本発明の実施形態に係る冷却機構に関する説明図である。
【図１０】本発明の実施形態に係る自動販売機の外観図である。
【図１１】当該自動販売機におけるディスプレイ装置の配置に関する説明図である。
【図１２】第２実施形態の自動販売機の構成に係るブロック図である。
【図１３】第３実施形態の自動販売機の構成に係るブロック図である。
【発明を実施するための形態】
【００１６】
本発明の実施形態について、第１から第３までの各実施形態を挙げて、以下に説明する。なお何れの実施形態も、タッチパネルを備えたディスプレイ装置（液晶表示装置）に関するものである。
【００１７】
１．第１実施形態
まず本発明の第１実施形態について、パーソナルコンピュータ（以下、「ＰＣ」と称する）にディスプレイ装置が接続された、ＰＣシステム（処理システムの一形態）を例に挙げて、以下に説明する。
【００１８】
［ＰＣシステムの構成等について］
図１は、当該ＰＣシステムの外観図を、図２は、当該ＰＣシステム（特にディスプレイ装置）の構成に係るブロック図を、それぞれ表している。これらの図に示すように、ディスプレイ装置１は、ケーブル３を用いてＰＣ２に接続され、全体として、ＰＣシステム９を形成している。
【００１９】
ＰＣ２は、一般的なパーソナルコンピュータの機能を有しており、またケーブル３を通じて、ディスプレイ装置１との通信を行う。より具体的には、ＰＣ２は、映像情報と音声情報を含んだ映像音声信号を、ディスプレイ装置１に送出する。またＰＣ２は、ユーザによるタッチパネルの操作（タッチ操作）の情報を含んだタッチ操作信号を、ディスプレイ装置１から受取る。
【００２０】
これによりＰＣ２は、タッチ操作に応じた各種処理を行うことが可能となっている。またＰＣ２は、ディスプレイ装置１における、各種動作（起動動作や、スタンバイ状態への移行動作など）の制御を行うことも可能となっている。
【００２１】
ディスプレイ装置１は、図２に示すように、映像音声信号入力Ｉ／Ｆ１１、音声処理回路１２ａ、映像処理回路１２ｂ、スピーカ１３、液晶パネル１４、タッチパネル１５、温度センサ１６、操作部１７、演算制御部１８、ファン群１９、およびタッチ操作信号出力Ｉ／Ｆ２０などを備えている。
【００２２】
映像音声信号入力Ｉ／Ｆ１１は、ＰＣ２から映像音声信号を受取り、後段側の音声処理回路１２ａおよび映像処理回路１２ｂに送出する。また音声処理回路１２ａは、映像音声信号入力Ｉ／Ｆ１１から受取った映像音声信号に基づいて、スピーカ１３に音声を出力させるための音声信号を生成する。スピーカ１３はこの音声信号を受取って、音声を出力する。
【００２３】
映像処理回路１２ｂは、映像音声信号入力Ｉ／Ｆ１１から受取った映像音声信号に基づいて、液晶パネル１４に映像を表示させるための映像信号を生成する。液晶パネル１４はこの映像信号を受取って、映像を表示する。より具体的には、液晶パネル１４は、映像信号に応じて画素ごとの光の透過度合を調節し、不図示のバックライトの光を用いて映像を表示する。映像（画像）を形成する光は、透明であるタッチパネル１５を介して、観察者に届けられることになる。
【００２４】
タッチパネル１５は、静電容量方式のタッチパネルとして形成されており、液晶パネル１４の前面側を覆うように（液晶パネル１４の前面と向い合うように）配置されている。タッチパネル１５は、静電容量の変化（静電容量が閾値を越えたかどうか）を検知するセンサが、パネルの各所に対応して設置されている。なおここでの閾値（以下も同様）は、指等の接触の有無を判断するための閾値であり、センサごとに可変に設定されている。
【００２５】
タッチパネル１５は、静電容量の変化を検知することによって、パネル上の指等が触れた位置など（タッチ操作）を検出する。当該検出結果の情報（タッチ操作信号）は、タッチ操作信号出力Ｉ／Ｆ２０を介して、ＰＣ２に送出されるようになっている。但し当該検出結果の情報は、まず演算制御部１８に伝送され、演算制御部１８からＰＣ２へ送出されるようにしても構わない。
【００２６】
温度センサ１６は、例えばサーミスタや熱電対によって形成されており、ディスプレイ装置１のタッチパネル１５付近の温度（以下、「装置の温度」と略記することがある）を検知する。温度センサ１６の検知結果の情報は、演算制御部１８に伝送されるようになっている。
【００２７】
操作部１７は、例えばリモコン信号の受信装置や商品選択スイッチによって形成されており、ユーザの操作を受付ける。操作内容を表す情報は、演算制御部１８に伝送されるようになっている。
【００２８】
演算制御部１８は、ＣＰＵ［Central Processing Unit］やメモリ等によって形成されており、ディスプレイ装置１の機能を発揮させるために必要な、各種の演算処理や制御処理を実行する。なお、ディスプレイ装置１において実行される主な動作の内容については、改めて説明する。
【００２９】
ファン群１９は、ディスプレイ装置１における環境条件（特に温度）の調節に用いられる、複数のファン（ファンＡ〜Ｆの、計６個のファン）から形成されている。なお、ファンＡ〜Ｃの３個のファンは、ディスプレイ装置１の筐体内への吸気を促す、吸気用ファン１９ａとなっており、ファンＤ〜Ｆの３個のファンは、ディスプレイ装置１の筐体外への排気を促す、排気用ファン１９ｂとなっている。
【００３０】
これらのファンは、それぞれ独立して駆動させることが可能となっている。また防塵防水性能を確保するため、各ファンにはフィルタが取り付けられている。なおファン群１９は、ファンＡとファンＤ、ファンＢとファンＥ、およびファンＣとファンＦの各組から形成されていると見ることができ、後述するようにファン群１９は、主にこれらの組ごとに駆動するよう制御される。
【００３１】
また図３は、ディスプレイ装置１について上側から（図１に示すＡ方向に）見た構成図を表している。また図４は、ディスプレイ装置１について右側から（図１に示すＢ方向に）見た構成図を表している。また図５は、ディスプレイ装置１について左側から（図１に示すＣ方向に）見た構成図を表している。
【００３２】
これらの図に示すように、ディスプレイ装置１は、フロントキャビネットＦＣとバックキャビネットＢＣが前後方向に結合し、ほぼ一体的となった筐体を形成している。液晶パネル１４は、バックキャビネットＢＣの前面側に配置されており、タッチパネル１５は、液晶パネル１４と前後方向に重なるように、フロントキャビネットＦＣに配置されている。また、吸気用ファン１９ａ（ファンＡ〜Ｃ）と排気用ファン１９ｂ（ファンＤ〜Ｆ）は、それぞれ、バックキャビネットＢＣにおける一方の側面と他方の側面に配置されている。
【００３３】
なお筐体内の温度は、設置場所の気温やディスプレイ装置１の内部発熱などの影響を受ける。そのため当該温度は、０度以下から６０度以上の広い幅で変動する可能性がある。
【００３４】
［ＰＣシステムが実行する動作の概要について］
ＰＣシステム９は上述した構成となっており、各種動作（処理）を実行する。ＰＣシステム９が通常の動作状態において実行する主な動作としては、「映像音声出力処理」、「タッチ操作受付処理」、「タッチパネルの初期化処理」、および「温度調節動作」が挙げられる。
【００３５】
「映像音声出力処理」は、ＰＣ２から受取った映像音声信号に基づいて、ディスプレイ装置１が、映像の表示および音声の出力を行う処理である。既に説明したように、当該映像音声信号は、映像音声信号入力Ｉ／Ｆ１１を経て、音声処理回路１２ａおよび映像処理回路１２ｂに入力される。そして音声処理回路１２ａによって生成された音声信号に基づいて、スピーカ１３が音声を出力する一方、映像処理回路１２ｂによって生成された映像信号に基づいて、液晶パネル１４が映像を表示する。
【００３６】
「タッチ操作受付処理」は、ユーザによるタッチパネル１５のタッチ操作を受付ける処理である。タッチ操作がなされることにより、ディスプレイ装置１側においてタッチ操作信号が生成され、タッチ操作信号出力Ｉ／Ｆ２０を通じて、ＰＣ２に送出される。これによりＰＣ２は、各種動作に、タッチ操作の内容（ユーザの意図）を反映させることが可能となっている。
【００３７】
「タッチパネルの初期化処理」は、タッチパネル１５による指等の接触の検出動作をより安定化させるべく、タッチパネル１５の各所に対応して設置された各センサの閾値を、調節する処理である。タッチ操作信号出力Ｉ／Ｆ２０は、当該各センサについて、環境条件の変化などによって生じた静電容量のオフセット（基準量からのズレ）を、継続的に監視するようになっている。
【００３８】
そしてタッチ操作信号出力Ｉ／Ｆ２０は、この監視の結果に基づき、当該オフセットがキャンセルされるように閾値を調節する。つまり、当該オフセットを考慮した静電容量と当該閾値との差（センサ感度に相当する）が、ほぼ一定となるように、当該閾値が調節される。
【００３９】
なお当該閾値は、センサごとに異なる値とすることが可能である。そのためタッチパネルの初期化処理によれば、環境条件の変化だけでなく、例えばタッチパネル１５の一部に異物が付着して当該オフセットが生じた場合（つまり、センサごとに異なる閾値を設定すべき場合）にも、対応可能となっている。
【００４０】
但し、タッチパネルの初期化処理があまりに頻繁になされると、指等の接触検出に支障が生じたり、各種処理が煩雑になったりするため、タッチパネルの初期化処理は、ある程度の間隔をおいて（本実施形態の場合は、十数秒の周期で）実行される。そこでタッチパネルの初期化処理においては、現時点から所定の時間Ｔ１（本実施形態の場合は、タッチパネルの初期化処理が実行される周期の半分）が経過した時点での静電容量のオフセットが予測され、この予測されたオフセットがキャンセルされるように、閾値が調節される。
【００４１】
ここで現時点における静電容量のオフセットをＣ１、現時点から所定の時間Ｔ２だけ前の時点における静電容量のオフセットをＣ２、とすれば、現時点から時間Ｔ１が経過した時点での静電容量のオフセットの予測量Ｃ３は、次の（２）式によって算出される。
Ｃ３＝（現時点における静電容量のオフセットの変動速度）×Ｔ１
＝｛（Ｃ１−Ｃ２）／Ｔ２｝×Ｔ１      ・・・・・（２）式
なお「変動速度」は、単位時間あたりの変動の大きさを表す。
【００４２】
タッチパネルの初期化処理では、センサごとに、（２）式に基づいて予測量Ｃ３が算出され、閾値が調節される。タッチパネルの初期化処理が実行されると、各センサのセンサ感度がほぼ一定となるように修正されるため、タッチパネル１５による指等の接触の検出動作が安定化する。
【００４３】
但し、静電容量のオフセットの変動速度が、急激に変化する事態が発生すると、（２）式に基づいた予測の精度が低下してしまい、閾値が適切に調節されないおそれがある。つまりタッチパネルの初期化処理が、当該変化に追従できない事態となり得る。この点、詳しくは後述するが、本実施形態にかかる温度調節動作の手順は、静電容量のオフセットの変動速度が急激に変化しないようにし、タッチパネルの初期化処理が適切に実行されるように配慮されている。なおタッチパネルの初期化処理を行うこと自体は公知であり、当該処理の具体的手法については、他の手法が採用されていても構わない。
【００４４】
［温度調節動作について］
「温度調節動作」は、ファン群１９を駆動させることにより、ディスプレイ装置１の温度を調節する動作である。温度調節動作のより詳細な内容について、図６に示すフローチャートを参照しながら、以下に説明する。
【００４５】
演算制御部１８は、予め定められている温度検出周期Ｔtempが経過する度に、温度検出周期Ｔtempの間の平均温度を、評価温度として算出するようになっている（ステップＳ１）。より具体的には、演算制御部１８は、温度センサ１６によって検知された温度の情報を、数秒程度の周期（温度検出周期Ｔtempより十分に短い周期）で、継続的に取得する。そして演算制御部１８は、温度検出周期Ｔtempごとに、直前の温度検出周期Ｔtempの間に検知された各温度を平均し、この平均した温度を評価温度とする。なおその他、温度検出周期Ｔtempごとに検出される温度（その時点の温度）を、評価温度とするようにしても構わない。
【００４６】
評価温度を算出した後、演算制御部１８は、現時点において冷却動作が実行中であるか否かに応じて（ステップＳ２）、次のように動作する。冷却動作の実行中ではない場合には（ステップＳ２のＮ）、演算制御部１８は、評価温度が所定の冷却開始温度Ｔｅｍｐ１を超えているか否かを判別する（ステップＳ３）。
【００４７】
そして超えていると判別されたときは（ステップＳ３のＹ）、演算制御部１８は、冷却動作を開始させる（ステップＳ４）。なお冷却動作の具体的内容については、改めて説明する。一方、越えていないと判別されたときは（ステップＳ３のＮ）、演算制御部１８は、ステップＳ１の動作を繰り返す。
【００４８】
また演算制御部１８は、評価温度を算出した後、冷却動作が実行中である場合には（ステップＳ２のＹ）、評価温度が所定の冷却終了温度Ｔｅｍｐ２を下回っているか否かを判別する（ステップＳ５）。なお本実施形態では、冷却終了温度Ｔｅｍｐ２は、冷却開始温度Ｔｅｍｐ１より低い値とするが、双方を同じ値としても構わない。
【００４９】
そして下回っていると判別されたときは（ステップＳ５のＹ）、演算制御部１８は、冷却停止動作を開始させる（ステップＳ４）。なお冷却停止動作の具体的内容については、改めて説明する。一方、下回っていないと判別されたときは（ステップＳ５のＮ）、演算制御部１８は、ステップＳ１の動作を繰り返す。
【００５０】
ここで先述した冷却動作の具体的内容について説明する。冷却動作が開始されると、演算制御部１８は先ず、ファンＡとファンＤの駆動を開始させる。これによりファンＡとファンＤが駆動し、ファン群１９における他の各ファンは、未だ駆動していない状態となる。
【００５１】
そして演算制御部１８は、ファンＡとファンＤの駆動を開始させてから所定時間（例えば２０秒）の経過後に、ファンＢとファンＥの駆動を開始させる。これによりファンＡ、ファンＢ、ファンＤ、およびファンＥが駆動し、ファン群１９における他の各ファンは、未だ駆動しない状態となる。
【００５２】
そして演算制御部１８は、ファンＢとファンＥの駆動を開始させてから更に所定時間（例えば２０秒）の経過後に、ファンＣとファンＦの駆動を開始させる。これにより、ファン群１９における全てのファンが、駆動している状態となる。なおその後は、冷却停止動作が開始されるまで、全てのファンが駆動している状態が維持される。このようにディスプレイ装置１は、冷却動作が開始されると、駆動させるファンの個数を段階的に増やすようになっている。
【００５３】
次に先述した冷却停止動作の具体的内容について説明する。冷却停止動作が開始されると、演算制御部１８は先ず、ファンＣとファンＦの駆動を停止させる。これによりファンＣとファンＦは駆動せず、ファン群１９における他の各ファンは、依然として駆動している状態となる。
【００５４】
そして演算制御部１８は、ファンＣとファンＦの駆動を停止させてから所定時間（例えば２０秒）の経過後に、ファンＢとファンＥの駆動を停止させる。これによりファンＢ、ファンＣ、ファンＥ、およびファンＦが駆動せず、ファン群１９における他の各ファンは、依然として駆動している状態となる。
【００５５】
そして演算制御部１８は、ファンＢとファンＥの駆動を停止させてから更に所定時間（例えば２０秒）の経過後に、ファンＡとファンＤの駆動を停止させる。これにより、ファン群１９における全てのファンが駆動していない状態（つまり、冷却動作が実行されていない状態）となる。なおその後は、新たに冷却動作が開始されるまで、この状態が維持される。このようにディスプレイ装置１は、冷却停止動作が開始されると、駆動させるファンの個数を段階的に減らすようになっている。
【００５６】
なお、上述した温度検出周期Ｔtempが、タッチパネルの初期化処理が実行される周期より短く設定されていると、タッチパネルの初期化処理の精度が、低下してしまうおそれがある。そのため温度検出周期Ｔtempは、タッチパネルの初期化処理が実行される周期より、長く（概ね、３〜５倍程度に）設定されている。
【００５７】
以上に説明したようにディスプレイ装置１は、冷却動作および冷却停止動作において、駆動させるファンの個数を段階的に変化させるようになっている。そのため、ディスプレイ装置１は、全てのファンの駆動の開始や停止が一斉に（同時的に）なされる仕様（便宜的に、「一般仕様」と称する）のものに比べて、自機の温度の変化速度（単位時間あたりの変化度合）を小さくすることが可能となっている。
【００５８】
この点についてより理解容易とするため、各ケース（事例）を想定した場合における温度の変動状況について、図７および図８に示すグラフを参照しながら説明する。ここで、ケース１は温度調節動作がなされないとした場合、ケース２は上述の一般仕様であるとした場合、ケース３は本実施形態に係るディスプレイ装置の場合とする。なお各ケースとも、ファンの動作態様を除いて、同一の条件であるとする。
【００５９】
図７は、ある温度条件下での、ケース１とケース２についての装置の温度の変動状況を表している。なお本図（図８も同様）において、横軸は時間を、縦軸は温度をそれぞれ表している。ケース１（図７中の破線）の場合、装置内部の発熱あるいは外気温の上昇に伴い、装置の温度が大きく上昇している。ケース２（図７中の実線）の場合、装置の温度（評価温度）がＴｅｍｐ１を超えた時点（図７のＴａ）にて、全てのファンの駆動が一斉に開始される。
【００６０】
これにより装置は、冷却がなされていない状態から、急に勢いよく冷却される。そして装置の温度（評価温度）がＴｅｍｐ２を下回った時点（図７のＴｂ）にて、全てのファンの駆動は一斉に停止される。これにより装置は、通常通りに冷却がなされている状態から、急に冷却が停止されることとなる。
【００６１】
また図８は、ケース３についての装置の温度の変動状況を、ケース１およびケース２と対比させた形態で表している。ケース３（図中の太い実線）の場合、装置の温度（評価温度）がＴｅｍｐ１を超えた時点（図８のＴａ）にて、冷却動作が開始される（ステップＳ４）。すなわち、先ずファンＡとファンＤの駆動が開始された後、所定時間が経過した時点（図８のＴ１）にて、ファンＢとファンＥの駆動も開始され、更に所定時間が経過した時点（図８のＴ２）にて、ファンＣとファンＦの駆動も開始される。
【００６２】
これにより装置の冷却は、徐々に（比較的緩やかに）強くなる。そして装置の温度（評価温度）がＴｅｍｐ２を下回った時点（図８のＴ３）にて、冷却停止動作が開始される（ステップＳ６）。すなわち、先ずファンＣとファンＦの駆動が停止された後、所定時間が経過した時点（図８のＴ４）にて、ファンＢとファンＥの駆動も停止され、更に所定時間が経過した時点（図８のＴ５）にて、ファンＡとファンＤの駆動も停止される。これにより装置の冷却は、徐々に（比較的緩やかに）弱くなる。
【００６３】
その結果、図８（特に、点線で囲まれた部分）に示すように、本実施形態に係る温度調節動作によれば、特に冷却動作の開始時の前後、および冷却停止動作の開始時の前後の期間において、装置の温度の変化速度が、一般仕様の場合に比べて、緩やかに変化することとなる。なお装置の温度の変化速度が緩やかに変化すると、それだけ、タッチパネル１５の各センサにおける静電容量のオフセットの変動速度も、緩やかに変化する。ディスプレイ装置１は、このような温度調節動作を行うため、先述の（２）式を用いたタッチパネルの初期化処理を、出来るだけ適切に実行することが可能となっている。
【００６４】
またディスプレイ装置１に準じた構成のテスト機を用い、各種の動作条件について、タッチパネルにおけるセンサの誤検知数（指等が触れていない状態で、静電容量が閾値を越えた回数）を測定したところ、以下の表１に示す通りの結果が得られた。なお当該テスト機のタッチパネルは、１１２（＝縦８×横１４）個の領域に分けられ、領域ごとにセンサを有するものとした。そして装置の温度が所定パターンで上昇する環境において、各センサの３分間の誤検知数をカウントし、その合計を測定結果とした。
【表１】
0005566808.tif 000002
【００６５】
ここで動作条件Ａと動作条件Ｂは、各センサの初期の閾値を比較的低い値に設定し、逆に動作条件Ｃと動作条件Ｄは、各センサの初期の閾値を比較的高い値に設定している。また動作条件Ａと動作条件Ｃは、冷却動作において全て（３組）のファンの駆動の開始が一斉になされる態様（一般仕様の動作条件）とし、動作条件Ｂと動作条件Ｄは、冷却動作において一組のファンの駆動開始後、２０秒後に他の一組のファンの駆動が開始され、更に２０秒後に最後の一組のファンの駆動が開始される態様（本実施形態に準じた動作条件）としている。
【００６６】
表１に示す測定結果によれば、本実施形態に係る温度調節動作が実行されることにより、一般仕様のものに比べて、タッチパネルにおけるセンサの誤検知を顕著に低減させることが可能と言える。
【００６７】
［ディスプレイ装置の起動動作等について］
ディスプレイ装置１が使用される際には、先ずディスプレイ装置１についての起動動作（所謂、電源ＯＮの動作）が実行される。ディスプレイ装置１は、スタンバイ状態（消費電力を低減させるため、主要な動作が休止した状態）から、起動動作を経て通常の動作状態に移行し、先述した各種動作を実行するようになる。ＰＣシステム９では、ＰＣ２が、ディスプレイ装置１における起動動作やスタンバイ状態への移行動作を、制御することが可能となっている。
【００６８】
ところでタッチパネル１５は、タッチ操作を容易とするべく（ユーザにとっての、タッチパネル１５と液晶パネル１４との視差を少なくするように）、液晶パネル１４に近接して配置される。例えば、液晶パネル１４のサイズが４０インチ程度の場合、双方の距離は通常、１〜２ｃｍ程度に設定される。
【００６９】
そのためディスプレイ装置１の起動動作においては、タッチパネル１５は、液晶パネル１４に生ずる電気的ノイズの影響を受け易くなる。また更に起動動作においては、各装置が発熱することによって、装置の温度が急変する。起動動作において、タッチパネル１５が電気的ノイズおよび発熱の影響を同時的に受けると、タッチパネル１５の動作は非常に不安定となり、タッチ操作の誤動作などが生じ易くなるおそれがある。
【００７０】
そこでＰＣシステム９においては、このような不具合を出来るだけ回避するべく、以下に示す手順により、ディスプレイ装置１の起動動作を実現させることが可能となっている。
【００７１】
ＰＣ２は、ディスプレイ装置１の起動動作の開始指示（ユーザによる指示）がなされると、ディスプレイ装置１に対して、第１次起動信号を送出する。一方、ディスプレイ装置１は、電源ＯＦＦの状態において、ＰＣ２からの第１次起動信号の受信を待機している。
【００７２】
そして第１次起動信号を受取ると、ディスプレイ装置１は先ず、自機が有する各装置のうち、液晶パネル１４を除いた部分の起動動作（例えば駆動電力の供給や初期化などであり、一部の装置の起動動作と見ることができる）を開始させる。またディスプレイ装置１は、当該動作を開始させた後、温度センサ１６の検知情報（温度の情報）を、継続的にＰＣ２へ送出するとともに、ＰＣ２からの第２次起動信号の受信を待機する。
【００７３】
ＰＣ２は、第１次起動信号を送出した後、ディスプレイ装置１からの検知情報を受取り、ディスプレイ装置１の温度が安定した状態となったか（予め設定された一定条件が満たされたか）を監視しながら待機する。そして安定した状態となったら、ＰＣ２は、第２次起動信号を、ディスプレイ装置１に送出する。
【００７４】
そしてディスプレイ装置１は、第２次起動信号を受取ると、液晶パネル１４の起動動作（残りの装置の起動動作）を開始させる。この起動動作が完了することにより、ディスプレイ装置１の起動動作は終了する。なお液晶パネル１４だけでなく、他の装置（バックライトなど）の起動動作も、第２次起動信号が受取られた後に開始されるようにしても構わない。
【００７５】
上述したようにＰＣシステム９では、液晶パネル１４（もしくは、液晶パネル１４とその他の一部の装置）の起動のタイミングと、その他の各装置の起動のタイミングを、ずらすことが可能となっている。その結果、タッチパネル１５が、電気的ノイズおよび発熱の影響を同時的に受けるという事態を出来るだけ回避し（つまり、双方の影響を時期的に分散させて）、タッチ操作の誤動作などを極力抑えることが可能となっている。
【００７６】
なおこのような起動動作がなされる場合、一般的な起動動作（各装置の起動が同時的に進行する）がなされる場合に比べ、起動時間がやや長くなる傾向にあるが、ディスプレイ装置１を商業用に使うような場合には、このことは殆ど問題にならないと言える。またディスプレイ装置１において、起動動作が実行中であるか否かを表示するための表示手段（例えばＬＥＤ）を設けておくようにしても良い。このようにすれば、ユーザは、現時点において、ディスプレイ装置１の起動動作が実行中であるか否かを、一目で把握することが可能となる。
【００７７】
［タッチ操作の無効化処理について］
ディスプレイ装置１において、起動動作やスタンバイ状態への移行動作がなされる際は、その他の状況に比べて、液晶パネル１４における電気的ノイズが発生し易い。先述したように、このような電気的ノイズは、タッチ操作の誤検出の要因となる。
【００７８】
一方で、ＰＣ２は、ディスプレイ装置１の制御あるいはディスプレイ装置１との情報交換を行うため、ディスプレイ装置１における起動動作やスタンバイ状態への移行動作がなされるタイミングを把握することが可能である。そこでＰＣシステム９においては、タッチ操作の誤検出が起こり易いと考えられる期間において、ＰＣ２が、タッチ操作の無効化処理（タッチ操作を無視する処理）を行うようになっていても良い。
【００７９】
例えば、ディスプレイ装置１における起動動作の開始時から一定期間（例えば数十秒）が経過するまでの期間、および、ディスプレイ装置１におけるスタンバイ状態への移行動作の開始時から一定期間（例えば数十秒）が経過するまでの期間の各々（もしくは一方）において、ＰＣ２が、タッチ操作の無効化処理を行うようにすれば良い。このようにすれば、仮にタッチ操作の誤検出が起きたとしても、この誤検出がＰＣ２の動作に反映されることを未然に防ぐことが出来るため、ＰＣシステム９の動作の安定性を保つことが可能となる。
【００８０】
［温度以外の環境条件について］
本実施形態に係るＰＣシステム９（特にディスプレイ装置１）では、環境条件として、温度が考慮される仕様となっている。但しこれは一例であって、温度の代わりに、或いは温度に加えて、他の環境条件である湿度や圧力（筐体内の圧力）が考慮されるようにしても良い。
【００８１】
環境条件として湿度が考慮される場合は、ディスプレイ装置１に湿度センサが設置され、温度調節動作と同様の方針（環境条件の調節の強さを、段階的に変化させることなど）により、湿度を調節する動作が実行される。また環境条件として圧力が考慮される場合は、ディスプレイ装置１に圧力センサが設置され、温度調節動作と同様の方針により、圧力を調節する動作が実行される。
【００８２】
なお湿度を調節する手法としては、ファン群１９を駆動させる手法（温度の変化に伴って湿度も変化する）が一例として挙げられ、圧力を調節する手法としては、吸気用ファン１９ａと排気用ファン１９ｂの回転数を変える手法が一例として挙げられる。また温度、湿度、および圧力のうちの何れか二つ、或いは全ての環境条件が、総合的に考慮されるようになっていても良い。
【００８３】
［冷却機構の具体的形態について］
以上までに説明した通り、ディスプレイ装置１は、自機を冷却する冷却機構を有していると言える。この冷却機構は、ファン群１９を回転させ、その筐体内部に外部から空気を送り込むことで、自機を冷却するものとなっている。
【００８４】
ところでディスプレイ装置１において、特に液晶パネル１４は、バックライトによって強く熱せられることになる。そのため、ディスプレイ装置１においては、液晶パネル１４の特性の劣化防止などを図るため、液晶パネル１４を冷却することが特に重要である。また温度変化によるタッチパネル１５の誤動作を防ぐため、タッチパネル１５を冷却することも重要といえる。
【００８５】
そこで液晶パネル１４とタッチパネル１５の両方を効率良く冷却するため、ディスプレイ装置１における冷却機構は、これらの間に空気を通す機構となっている。より具体的には、図９（ディスプレイ装置１の断面図を表す）に示すように、ディスプレイ装置１の筐体内部において、空気を流すための流路（空間）ＳＰが設けられている。
【００８６】
ファン群１９が回転すると、吸気用ファン１９ａから排気用ファン１９ｂへ向かう方向に、流路ＳＰにおいて送風が行われる。また図９に示すように、液晶パネル１４の前面および前面ガラス２１（光を透過させる部材の一種）の背面は、流路ＳＰを形成する壁面の一部となっている。すなわち流路ＳＰには、液晶パネル１４と前面ガラス２１との間の空間が含まれている。また、前面ガラス２１の前面側にはタッチパネル１５が貼り付けられている。
【００８７】
ファン群１９が回転することによって、液晶パネル１４と前面ガラス２１との間に設けられた空間に空気流が発生する。その結果、流路ＳＰを流れる空気が、液晶パネル１４およびタッチパネル１５から熱を奪い、当該空気流によって、液晶パネル１４およびタッチパネル１５を効率良く冷却することが可能となっている。但し当該冷却機構の具体的形態は、このような形態に限定されるものではなく、他の形態とすることも可能である。
【００８８】
［その他］
以上に説明した通り、第１実施形態に係るディスプレイ装置１は、温度（ディスプレイ装置１の環境条件の一つ）を検出する機能部と、この検出の結果に基づいて、温度を調節するための温度調節動作を実行する機能部を備えている。そしてこの温度調節動作を実行する機能部は、当該調節の強さ（勢い）を段階的に変化させるようになっている。
【００８９】
より具体的には、ディスプレイ装置１は、検出された温度が所定値Ｔｅｍｐ１を超えたときに、駆動させるファンの個数を段階的に増大させる一方、検出された温度が所定値Ｔｅｍｐ２を下回ったときに、駆動させるファンの個数を段階的に減少させるようになっている。このようにディスプレイ装置１は、駆動させるファンの個数を段階的に変化させることにより、当該調節の強さを段階的に変化させるようになっている。
【００９０】
そのため、ディスプレイ装置１は、温度の変化速度を極力緩やかな状態に抑えつつ、温度の調節が弱すぎることによる不具合を回避することが可能となっている。そのためディスプレイ装置１は、タッチパネルの誤動作を低減させるように、温度を適切に調節するものとなっている。
【００９１】
なお、温度の調節の強さを段階的に変化させる具体的手法としては、駆動させるファンの個数を段階的に変化させる手法の他、種々の手法が採用され得る。例えば、ファンの回転数を段階的に変化させる手法や、ファン以外の温度調節装置（コンプレッサを用いた冷却装置やペルチェ素子など）を設置しておき、当該温度調節装置による調節の強さを段階的に変化させる手法などが採用され得る。
【００９２】
２．第２実施形態
次に本発明の第２実施形態について、自動販売機の本体（以下、単に「本体」と称する）に取付けられた形態（内蔵された形態）で用いられるディスプレイ装置、ならびに自動販売機を例に挙げて、以下に説明する。
【００９３】
［自動販売機の構成等について］
図１０は、当該自動販売機の外観図である。また図１１は、当該自動販売機におけるディスプレイ装置の配置状態を示す図である。また図１２は、当該自動販売機の構成に係るブロック図である。これらの図に示すように、ディスプレイ装置１は、本体５の内部に取り付けられており、全体として、自動販売機１０を形成している。
【００９４】
本体５は、商品選択スイッチ５３（ユーザが購入希望の商品を選択する部分）、演算制御装置５５、貨幣処理機構５６、および商品搬送機構５７などを備えており、全体的として、略直方体の形状となっている。
【００９５】
なおユーザに用いられる各部（５１〜５４）は、本体５の前面（ユーザに相対する面）に備えられている。また本体５には、その前面に露出させるようにディスプレイ装置１を取り付けるための取付機構や、ディスプレイ装置１との通信を可能とするための接続端子なども設けられている。
【００９６】
なお演算制御装置５５は、ＣＰＵやメモリ等によって形成されており、本体５の機能を発揮させるために必要な、各種の演算処理や制御処理を実行する。
【００９７】
また貨幣処理機構５６は、貨幣の処理に関わる機構であり、貨幣投入口５１（ユーザが貨幣を投入する部分）および貨幣返却口５２（ユーザが釣銭などを受取る部分）の他、貨幣の搬送装置、貨幣の収納庫（投入された貨幣や釣銭が収納される部分）、および金種を識別する装置などが含まれる。
【００９８】
また商品搬送機構５７は、自動販売機１０が取り扱っている商品の搬送に関わる機構であり、商品取出口５４（ユーザが商品を受取る部分）の他、商品の収納庫（予め商品が収納される部分）や商品の搬送装置などが含まれる。
【００９９】
なおディスプレイ装置１の構成は、本体５に取付けられる仕様となっている点（直立させるためのスタンドが省略されている点など）を除き、基本的に第１実施形態のものと同等であるため、ここでは詳細な説明を省略する。
【０１００】
［自動販売機が実行する動作の概要について］
自動販売機１０は上述した構成となっており、各種動作（処理）を実行する。自動販売機１０が通常の動作状態において実行する主な動作としては、「商品販売処理」、「映像音声出力処理」、「タッチ操作受付処理」、「タッチパネルの初期化処理」、および「温度調節動作」が挙げられる。
【０１０１】
「商品販売処理」は、ユーザ（商品を購入しようとする者）の求めに応じて、商品を販売する処理であり、一般的な自動販売機において行われる処理と同等のものである。商品販売処理は主に、演算制御装置５５が、貨幣処理機構５６および商品搬送機構５７を制御することによって実現される。商品販売処理は、概ね、以下に示す手順で進められる。
【０１０２】
演算制御装置５５は、貨幣投入口５１に投入された貨幣の金額をカウントするとともに、商品選択スイッチ５３の押下を待機する。そして何れかの商品選択スイッチ５３が押下されると、演算制御装置５５は、押下された商品選択スイッチ５３に対応する商品の設定額が、カウントされた金額以下である場合に、この商品を、商品の収納庫から商品取出口５４に搬送させる。また演算制御装置５５は、カウントされた金額と商品の設定額との差額分の貨幣（釣銭）を、貨幣の収納庫から貨幣返却口５２に搬送させる。このような商品販売処理が実行されることにより、自動販売機１０は、商品の無人販売が可能となっている。
【０１０３】
「映像音声出力処理」は、本体５（特に演算制御装置５５）から受取った映像音声信号に基づいて、ディスプレイ装置１が、映像の表示および音声の出力を行う処理である。音声の出力や映像の表示がどのようにして行われるかは、第１実施形態と同様であるため、ここでは説明を省略する。
【０１０４】
なお本体５においては、商品の宣伝等を表す映像および音声の情報（コンテンツ情報）が、予め複数種記録されている。演算制御装置５５は、このコンテンツ情報に基づいて、映像音声信号を適宜生成し、ディスプレイ装置１に出力するようになっている。
【０１０５】
「タッチ操作受付処理」は、ユーザによるタッチパネル１５のタッチ操作を受付ける処理である。タッチ操作がなされることにより、ディスプレイ装置１側においてタッチ操作信号が生成され、タッチ操作信号出力Ｉ／Ｆ２０を通じて、本体５（特に演算制御装置５５）に送出される。これにより演算制御装置５５は、各種動作に、タッチ操作の内容（ユーザの意図）を反映させることが可能となっている。
【０１０６】
例えば、タッチ操作によって、各種コンテンツ情報の何れかが選択可能とされる。そして何れかが選択されたとき、演算制御装置５５は、映像音声出力処理の実行時に、この選択されたコンテンツ情報に基づいた映像音声信号をディスプレイ装置１に出力する。これによりユーザは、興味のあるコンテンツを視聴することが可能となる。
【０１０７】
また例えば、タッチ操作によって、購入希望の商品が選択可能とされる。これにより、タッチパネル４５に、商品選択スイッチ５３としての役割をもたせることが可能となる。なおこの場合、商品選択スイッチ５３の設置を省略することも可能である。
【０１０８】
また、自動販売機１０が通常の動作状態において実行する主な動作としては、上述した動作の他、「タッチパネルの初期化処理」および「温度調節動作」が挙げられる。これらの動作の内容は、第１実施形態で説明したものと同様であるため、ここではその説明を省略する。
【０１０９】
なお第１実施形態では、ＰＣ２（或いは、ＰＣ２とディスプレイ装置１）が動作主体となって、ディスプレイ装置１の起動動作や、タッチ操作の無効化処理が実行されるようになっていたが、本実施形態においても、同様の動作が実行されるようにしても構わない。この場合、当該動作については、ＰＣ２の代わりに、本体５（特に演算制御部５５）が動作主体となるようにすれば良い。
【０１１０】
またディスプレイ装置１は、本体５とは独立して動作するようになっていても構わない。演算制御装置５５が有している一部の機能（コンテンツ情報に基づいて映像音声信号を生成する機能や、タッチ操作信号を処理する機能など）を、演算制御部１８に備えさせておくことにより、ディスプレイ装置１を、本体５とは独立して動作させることも可能である。
【０１１１】
３．第３実施形態
次に本発明の第３実施形態について、自動販売機の一構成要素として用いられるディスプレイモジュール（これまでに説明した、ディスプレイ装置に準じた機能をもつモジュール）、ならびに自動販売機を例に挙げて、以下に説明する。
【０１１２】
［自動販売機の構成等について］
図１３は、当該自動販売機１０の構成に係るブロック図である。この図に示すように、ディスプレイモジュール４は、自動販売機１０の一構成要素（部品）として設けられている。なおディスプレイ装置１がディスプレイモジュール４に置換わった点を除き、自動販売機の外観などについては、第２実施形態と基本的に同等であるため、ここでは説明を省略する。
【０１１３】
図１３に示す通り、自動販売機１０は、商品選択スイッチ５３、演算制御装置５５、貨幣処理機構５６、商品搬送機構５７、およびディスプレイモジュール４などを備えている。なお商品選択スイッチ５３、貨幣処理機構５６、および商品搬送機構５７は、第２実施形態のものと同等である。
【０１１４】
演算制御装置５５は、ＣＰＵやメモリ等によって形成されており、自動販売機１０の機能を発揮させるために必要な、各種の演算処理や制御処理を実行する。演算制御装置５５は、貨幣処理機構５６や商品搬送機構５７だけでなく、ディスプレイモジュール４に対しても直接的に制御を行う。またディスプレイモジュール４は、スピーカ４３、液晶パネル４４、タッチパネル４５、温度センサ４６、およびファン群４９などを備えている。
【０１１５】
スピーカ４３は、演算制御装置５５から音声信号を受取るようになっており、この音声信号に基づいて音声を出力する。また液晶パネル４４は、演算制御装置５５から映像信号を受取るようになっており、この映像信号に基づいて映像を表示する。より具体的には、液晶パネル４４は、この映像信号に応じて画素ごとの光の透過度合を調節し、バックライトの光を用いて映像を表示する。
【０１１６】
タッチパネル４５は、静電容量方式のタッチパネルとして形成されており、液晶パネル４４の前面側（観察者に近い側）に配置されている。なお液晶パネル４４とタッチパネル４５との間には、空間が設けられている。
【０１１７】
またタッチパネル４５は、静電容量の変化（静電容量が閾値を越えたかどうか）を検知するセンサが、パネルの各所に対応して設置されている。なお当該閾値は、指等の接触の有無を判断するための閾値であり、センサごとに可変に設定されている。また当該閾値は、演算制御装置５５からタッチパネル４５へ伝送されるパネル制御信号に従って、調節されるようになっている。
【０１１８】
タッチパネル４５は、静電容量の変化を検知することによって、パネル上の指等が触れた位置など（タッチ操作）を検出する。当該検出結果の情報（タッチ操作信号）は、演算制御装置５５に送出されるようになっている。
【０１１９】
温度センサ４６は、例えばサーミスタや熱電対によって形成されており、タッチパネル４５付近の温度を検知する。温度センサ４６の検知結果の情報は、温度信号として、演算制御装置５５に伝送されるようになっている。
【０１２０】
ファン群４９は、ディスプレイモジュール４の冷却に用いられる、複数のファン（ファンＡ〜Ｆの、計６個のファン）から形成されている。なお、ファンＡ〜Ｃの３個のファンは、ディスプレイモジュール４の筐体内への吸気を促す、吸気用ファン４９ａとなっており、ファンＤ〜Ｆの３個のファンは、ディスプレイモジュール４の筐体外への排気を促す、排気用ファン４９ｂとなっている。
【０１２１】
これらのファンは、後述する温度調節動作の実行時に、演算制御装置５５から伝送されるファン制御信号に従って、それぞれ独立して駆動するようになっている。また防塵防水性能を確保するため、各ファンにはフィルタが取り付けられている。なおファン群４９は、ファンＡとファンＤ、ファンＢとファンＥ、およびファンＣとファンＦの各組から形成されていると見ることができ、後述するようにファン群４９は、主にこれらの組ごとに駆動するよう制御される。
【０１２２】
なお、ディスプレイモジュール４の筐体内には、第１実施形態のものと同等の冷却機構（図９を参照）が設けられている。すなわち、ファン群４９が回転することにより、液晶パネル４４とタッチパネル４５との間の空間において、送風が行われるようになっている。
【０１２３】
［自動販売機が実行する動作の概要について］
自動販売機１０は上述した構成となっており、各種動作（処理）を実行する。自動販売機１０が通常の動作状態において実行する主な動作としては、「商品販売処理」、「映像音声出力処理」、「タッチ操作受付処理」、「タッチパネルの初期化処理」、および「温度調節動作」が挙げられる。なお「商品販売処理」の内容については、第２実施形態のものと同様であるため、ここでは説明を省略する。
【０１２４】
「映像音声出力処理」は、演算制御装置５５から受取った映像信号および音声信号に基づいて、ディスプレイモジュール４が、映像の表示および音声の出力を行う処理である。すなわち演算制御装置５５がこれらの信号を出力すると、スピーカ４３がこの音声信号に基づいた音声を出力し、液晶パネル４４がこの映像信号に基づいた映像を表示する。
【０１２５】
なお演算制御装置５５においては、商品の宣伝等を表す映像および音声の情報（コンテンツ情報）が、予め複数種記録されている。演算制御装置５５は、このコンテンツ情報に基づいて、映像信号および音声信号を適宜生成し、ディスプレイモジュール４に出力するようになっている。
【０１２６】
「タッチ操作受付処理」は、ユーザによるタッチパネル４５のタッチ操作を受付ける処理である。タッチ操作がなされることにより、タッチパネル４５においてタッチ操作信号が生成され、演算制御装置５５に送出される。これにより演算制御装置５５は、各種動作に、タッチ操作の内容（ユーザの意図）を反映させることが可能となっている。
【０１２７】
例えば、タッチ操作によって、各種コンテンツ情報の何れかが選択可能とされる。そして何れかが選択されたとき、演算制御装置５５は、映像音声出力処理の実行時に、この選択されたコンテンツ情報に基づいた映像信号および音声信号を、ディスプレイモジュール４に出力する。これによりユーザは、興味のあるコンテンツを視聴することが可能となる。
【０１２８】
また例えば、タッチ操作によって、購入希望の商品が選択可能とされる。これにより、タッチパネル４５に、商品選択スイッチ５３としての役割をもたせることが可能となる。なおこの場合、商品選択スイッチ５３の設置を省略することも可能である。
【０１２９】
「タッチパネルの初期化処理」は、タッチパネル４５による指等の接触の検出動作をより安定化させるべく、タッチパネル４５の各所に対応して設置された各センサの閾値を、調節する処理である。演算制御装置５５は、当該各センサについて、環境条件の変化などによって生じた静電容量のオフセット（基準量からのズレ）を、継続的に監視するようになっている。
【０１３０】
そして演算制御装置５５は、この監視の結果に基づき、当該オフセットがキャンセルされるように閾値を調節する。つまり、当該オフセットを考慮した静電容量と当該閾値との差（センサ感度に相当する）が、ほぼ一定となるように、当該閾値が調節される。なおタッチパネルの初期化処理のより詳細な内容については、第１実施形態における「タッチパネルの初期化処理」と同等である。
【０１３１】
「温度調節動作」は、ファン群４９を駆動させることにより、ディスプレイモジュール４の温度を調節する動作である。なお温度調節動作の内容については、演算制御部１８によって行われる動作が、演算制御装置５５によって行われる点を除き、第１実施形態における「温度調節動作」と同等である。演算制御装置５５は、先述したステップＳ１〜Ｓ６までの一連の処理を実行し、ファン制御信号を出力することにより、先述した冷却動作や冷却停止動作が実行されるようにする。
【０１３２】
４．その他
以上までに説明した通り、ディスプレイ装置１（ディスプレイモジュール４も同様）は、画像が形成されるように、バックライトの透過度合を調節する液晶パネルと、液晶パネルの前面と向い合うように配置された、静電容量方式のタッチパネルと、を備え、画像を形成する光が、タッチパネルを介して観察者に届けられるようにされている。そして更にディスプレイ装置１は、液晶パネルとタッチパネルとの間に設けられた空間への送風を行う、冷却機構を備え、この冷却機構は、当該送風の強さを段階的に変化させるようになっている。
【０１３３】
そのためディスプレイ装置１によれば、液晶パネルとタッチパネルの双方を効率良く冷却することが可能となっている。そして更にディスプレイ装置１によれば、冷却の強さを段階的に変化させることで、タッチパネルの誤動作（タッチパネルの感度の不均一化）を極力低減させることが可能となっている。
【０１３４】
またディスプレイ装置１に設けられた冷却機構は、複数のファンのうちの少なくとも一つを駆動させることによって送風を行うものであり、駆動させるファンの個数を段階的に変化させることにより、送風の強さを段階的に変化させるようになっている。
【０１３５】
なお送風の強さを段階的に変化させるにあたって、他の手法が採用されるようにしても構わない。例えば冷却機構を、一または複数のファンを駆動させることによって送風を行うものとしておき、ファンの回転速度を段階的に変化させることにより、送風の強さを段階的に変化させるようにしても構わない。
【０１３６】
またディスプレイ１によって行われる温度調節動作によれば、評価温度（検出された自機の温度）が冷却開始温度Ｔｅｍｐ１（第１閾値）を超えたときに、送風が開始され（ステップＳ４の動作を参照）、冷却終了温度Ｔｅｍｐ２（第２閾値）を下回ったときに、送風が終了される（ステップＳ６の動作を参照）。そして送風の開始の際には、送風が段階的に強くされ、送風の終了の際には、送風が段階的に弱くされるようになっている。
【０１３７】
また第２および第３実施形態によれば、ディスプレイ装置１或いはディスプレイモジュール４が、自動販売機に取付けられた（内蔵された）形態で用いられるようになっている。これにより、当該自動販売機の利用者を対象として、タッチ操作を受付けたり、各種のコンテンツ（映像や音声）を提供したりすることが可能となっている。但しディスプレイ装置やディスプレイモジュールが取付けられる機器としては、自動販売機に限定されない。これらはニーズに応じて、様々な機器に取付けられた形態で用いることが可能である。
【０１３８】
以上、本発明の実施形態について説明したが、本発明はこの内容に限定されるものではない。また本発明の実施形態は、本発明の主旨を逸脱しない限り、種々の改変を加えることが可能である。
【産業上の利用可能性】
【０１３９】
本発明は、タッチパネルを備えた各種のディスプレイ装置に利用することができる。
【符号の説明】
【０１４０】
１        ディスプレイ装置
２        パーソナルコンピュータ（処理装置）
３        ケーブル
４        ディスプレイモジュール
５        自動販売機の本体
９        ＰＣシステム（処理システム）
１０        自動販売機
１１        映像音声信号入力Ｉ／Ｆ
１２ａ      音声処理回路
１２ｂ      映像処理回路
１３、４３  スピーカ
１４、４４  液晶パネル
１５、４５  タッチパネル
１６、４６  温度センサ
１７        操作部
１８        演算制御部
１９、４９      ファン群
１９ａ、４９ａ  吸気用ファン
１９ｂ、４９ｂ  排気用ファン
２０    タッチ操作信号出力Ｉ／Ｆ
２１    前面ガラス（光透過部材）
５１    貨幣投入口
５２    貨幣返却口
５３    商品選択ボタン
５４    商品取出口
５５    演算制御装置
５６    貨幣処理機構
５７    商品搬送機構
ＦＣ    フロントキャビネット
ＢＣ    バックキャビネット
ＳＰ    空気の流路（空間）
【図１】
0005566808.tif 000003
【図２】
0005566808.tif 000004
【図３】
0005566808.tif 000005
【図４】
0005566808.tif 000006
【図５】
0005566808.tif 000007
【図６】
0005566808.tif 000008
【図７】
0005566808.tif 000009
【図８】
0005566808.tif 000010
【図９】
0005566808.tif 000011
【図１０】
0005566808.tif 000012
【図１１】
0005566808.tif 000013
【図１２】
0005566808.tif 000014
【図１３】
0005566808.tif 000015